(57)【要約】【課題】  バックホールにおける運用管理装置と基地局との間で通信障害が生じた場合でも、基地局で生じた問題に容易に対応することができる基地局、基地局制御方法、基地局制御用プログラム、管理装置および通信システムを提供する。【解決手段】  基地局９００は、管理装置との間が主回線と副回線とのそれぞれによって互いに接続されている。基地局９００は、検知部９１０と、通信部９２０と、制御部９３０とを含む。検知部９１０は、自局の異常を検知する。通信部９２０は、主回線に通信障害が生じた場合に、異常の内容を示す検知結果を含む通知情報を副回線を介して管理装置に送信し、通知情報に応じた処理を指示する情報を含む対応情報を副回線を介して管理装置から受信する。制御部９３０は、対応情報に基づく対応の処理を行う。【選択図】      図４
2018056922.tif 000002
【特許請求の範囲】
【請求項１】
管理装置との間が主回線と副回線とのそれぞれによって互いに接続され、
自局の異常を検知する検知手段と、
前記主回線に通信障害が生じた場合に、前記異常の内容を示す検知結果を含む通知情報を前記副回線を介して前記管理装置に送信し、前記通知情報に応じた処理を指示する情報を含む対応情報を前記副回線を介して前記管理装置から受信する通信手段と、
前記対応情報に基づく対応の処理を行う制御手段と
を備える基地局。
【請求項２】
前記対応の処理は、前記異常が検知された原因を診断する処理を含む請求項１に記載の基地局。
【請求項３】
前記対応の処理は、前記異常が検知された構成要素を再起動させる処理を含む請求項１または請求項２に記載の基地局。
【請求項４】
前記主回線は、通常運用時の伝送路である請求項１から請求項３のうちいずれか１項に記載の基地局。
【請求項５】
前記副回線は、通常運用時の伝送路とは異なる伝送路である請求項１から請求項４のうちいずれか１項に記載の基地局。
【請求項６】
前記副回線は、バックホールとＷｉ−Ｆｉ（Ｗｉｒｅｌｅｓｓ  Ｆｉｄｅｌｉｔｙ）通信による伝送路とを含む請求項１から請求項５のうちいずれか１項に記載の基地局。
【請求項７】
基地局との間が主回線と副回線とのそれぞれによって互いに接続され、
前記基地局で生じた異常の内容を示す検知結果を含む通知情報を前記基地局から受信する通信手段と、
前記主回線に通信障害が生じたと検知した場合に、前記通信手段に、前記通知情報に応じた処理を指示する情報を含む対応情報を副回線を介して前記基地局へ送信させる制御手段と
を備える管理装置。
【請求項８】
請求項１から請求項６のいずれか１項に記載の基地局と、
請求項７に記載の管理装置と
を含む通信システム。
【請求項９】
管理装置との間が主回線と副回線とのそれぞれによって互いに接続された自局の異常を検知し、
前記主回線に通信障害が生じた場合に、前記異常の内容を示す検知結果を含む通知情報を前記副回線を介して前記管理装置に送信し、前記通知情報に応じた処理を指示する情報を含む対応情報を前記副回線を介して前記管理装置から受信し、
前記対応情報に基づく対応の処理を行う
基地局制御方法。
【請求項１０】
コンピュータに、
管理装置との間が主回線と副回線とのそれぞれによって互いに接続された自局の異常を検知する処理と、
前記主回線に通信障害が生じた場合に、前記異常の内容を示す検知結果を含む通知情報を前記副回線を介して前記管理装置に送信し、前記通知情報に応じた処理を指示する情報を含む対応情報を前記副回線を介して前記管理装置から受信する処理と、
前記対応情報に基づく対応の処理と
を実行させるための基地局制御用プログラム。
【発明の詳細な説明】
【技術分野】
【０００１】
本発明は、基地局、基地局制御方法、基地局制御用プログラム、管理装置および通信システムに関する。
【背景技術】
【０００２】
携帯電話基地局と運用管理装置とがバックホールを介して接続された通信システムがある。そのような通信システムにおいて、携帯電話基地局は、自身が異常状態であることを検知した場合に、運用管理装置に、異常状態であることを示す情報を送信する。運用管理装置は、当該情報を受信したことに応じて、携帯電話基地局に、異常状態への対応を示す情報を送信する。携帯電話基地局は、対応を示す情報を受信した場合に、当該情報に基づく処理を行う。
【０００３】
特許文献１には、バッテリ残量が他よりも多い携帯端末を中継先に選択するサーバ装置を含むネットワーク接続システムが記載されている。
【０００４】
特許文献２には、無線ＬＡＮ（Ｌｏｃａｌ  Ａｒｅａ  Ｎｅｔｗｏｒｋ）のサービスエリア外に移動した場合に、携帯電話通信網を介してインターネットに接続する通信端末を含むインターネット接続システムが記載されている。
【先行技術文献】
【特許文献】
【０００５】
【特許文献１】特開２０１５−２９１９７号公報
【特許文献２】特開２００４−３６３７００号公報
【特許文献３】特開２００４−２３６１７７号公報
【発明の概要】
【発明が解決しようとする課題】
【０００６】
特許文献１に記載されたネットワーク接続システム、および特許文献２に記載されたインターネット接続システムにおいて、バックホールにおける運用管理装置と携帯電話基地局との間で通信障害が生じた場合に、運用管理装置は、携帯電話基地局に、対応を示す情報を送信することができない。そのような場合に、携帯電話基地局で生じた問題を解決したりするための作業が実地で行われる。しかし、そのような実地での作業には、現地作業員や、機材、時間等が必要となる。
【０００７】
そこで、本発明は、バックホールにおける運用管理装置と基地局との間で通信障害が生じた場合でも、基地局で生じた問題に容易に対応することができる基地局、基地局制御方法、基地局制御用プログラム、管理装置および通信システムを提供することを目的とする。
【課題を解決するための手段】
【０００８】
上記目的を達成するために、本発明の一態様における基地局は、管理装置との間が主回線と副回線とのそれぞれによって互いに接続され、自局の異常を検知する検知手段と、前記主回線に通信障害が生じた場合に、前記異常の内容を示す検知結果を含む通知情報を前記副回線を介して前記管理装置に送信し、前記通知情報に応じた処理を指示する情報を含む対応情報を前記副回線を介して前記管理装置から受信する通信手段と、前記対応情報に基づく対応の処理を行う制御手段とを備える。
【０００９】
上記目的を達成するために、本発明の一態様における基地局制御方法は、管理装置との間が主回線と副回線とのそれぞれによって互いに接続された自局の異常を検知し、前記主回線に通信障害が生じた場合に、前記異常の内容を示す検知結果を含む通知情報を前記副回線を介して前記管理装置に送信し、前記通知情報に応じた処理を指示する情報を含む対応情報を前記副回線を介して前記管理装置から受信し、前記対応情報に基づく対応の処理を行う。
【００１０】
上記目的を達成するために、本発明の一態様における基地局制御用プログラムは、コンピュータに、管理装置との間が主回線と副回線とのそれぞれによって互いに接続された自局の異常を検知する処理と、前記主回線に通信障害が生じた場合に、前記異常の内容を示す検知結果を含む通知情報を前記副回線を介して前記管理装置に送信し、前記通知情報に応じた処理を指示する情報を含む対応情報を前記副回線を介して前記管理装置から受信する処理と、前記対応情報に基づく対応の処理とを実行させる。
【００１１】
上記目的を達成するために、本発明の一態様における管理装置は、基地局との間が主回線と副回線とのそれぞれによって互いに接続され、前記基地局で生じた異常の内容を示す検知結果を含む通知情報を前記基地局から受信する通信手段と、前記主回線に通信障害が生じた場合に、前記通信手段に、前記通知情報に応じた処理を指示する情報を含む対応情報を副回線を介して前記基地局へ送信させる制御手段とを備える。
【００１２】
上記目的を達成するために、本発明の一態様における通信システムは、管理装置との間が主回線と副回線とのそれぞれによって互いに接続され、自局の異常を検知する検知手段と、前記主回線に通信障害が生じた場合に、前記異常の内容を示す検知結果を含む通知情報を前記副回線を介して前記管理装置に送信し、前記通知情報に応じた処理を指示する情報を含む対応情報を前記副回線を介して前記管理装置から受信する通信手段と、前記対応情報に基づく対応の処理を行う制御手段とを備える基地局と、基地局との間が主回線と副回線とのそれぞれによって互いに接続され、前記基地局で生じた異常の内容を示す検知結果を含む通知情報を前記基地局から受信する通信手段と、前記主回線に通信障害が生じた場合に、前記通信手段に、前記通知情報に応じた処理を指示する情報を含む対応情報を副回線を介して前記基地局へ送信させる制御手段とを備える管理装置とを含む。
【発明の効果】
【００１３】
本発明によれば、バックホールにおける運用管理装置と基地局との間で通信障害が生じた場合でも、基地局で生じた問題に容易に対応することができる。
【図面の簡単な説明】
【００１４】
【図１】第１の実施形態における通信システムの構成例を示すブロック図である。
【図２】第１の実施形態における基地局および運用管理装置の動作例を示すシーケンス図である
【図３】第１の実施形態における通信システムの他の構成例を示すブロック図である。
【図４】第２の実施形態における基地局の構成例を示すブロック図である。
【発明を実施するための形態】
【００１５】
（第１の実施形態）
第１の実施形態について図面を参照して説明する。
【００１６】
図１は、第１の実施形態における通信システム１００の構成例を示すブロック図である。図１に示すように、通信システム１００は、基地局２００と、運用管理装置３００とを含む。
【００１７】
基地局２００は、バックホール８００に接続されている。また、運用管理装置３００も、バックホール８００に接続されている。よって、基地局２００と運用管理装置３００とは、バックホール８００を介して情報を送受信可能である。以降、通常運用時に基地局２００と運用管理装置３００とによって、バックホール８００を介した通信に用いられる回線を主回線と呼ぶ。なお、バックホール８００は、例えば、携帯電話通信網の一部である。
【００１８】
基地局２００には、Ｗｉ−Ｆｉ（登録商標）（Ｗｉｒｅｌｅｓｓ  Ｆｉｄｅｌｉｔｙ）アクセスポイント５００−１が併設されている。そして、基地局２００は、Ｗｉ−Ｆｉアクセスポイント５００−１と無線通信することが可能である。Ｗｉ−Ｆｉアクセスポイント５００−１は、Ｗｉ−Ｆｉアクセスポイント５００−２を介して、Ｗｉ−Ｆｉアクセスポイント５００−３と無線通信することが可能である。Ｗｉ−Ｆｉアクセスポイント５００−３は、バックホール８００に接続されている。Ｗｉ−Ｆｉコントローラ４００は、バックホール８００に接続されている。また、Ｗｉ−Ｆｉコントローラ４００は、運用管理装置３００に接続されている。よって、基地局２００と運用管理装置３００とは、Ｗｉ−Ｆｉコントローラ４００と、バックホール８００と、Ｗｉ−Ｆｉアクセスポイント５００−１〜５００−３とを介して情報を送受信可能である。以降、主回線に通信障害が生じた場合に、基地局２００と運用管理装置３００とによって、Ｗｉ−Ｆｉコントローラ４００と、バックホール８００と、Ｗｉ−Ｆｉアクセスポイント５００−１〜５００−３とを介した通信に用いられる回線を副回線と呼ぶ。
【００１９】
Ｗｉ−Ｆｉ端末６００は、Ｗｉ−Ｆｉアクセスポイント５００−１と無線通信することが可能である。なお、Ｗｉ−Ｆｉアクセスポイント５００−１が基地局２００と無線通信することが可能であるので、Ｗｉ−Ｆｉ端末６００と基地局２００とは、Ｗｉ−Ｆｉアクセスポイント５００−１を介して、互いに情報を送受信する。また、携帯端末７００は、基地局２００と無線通信することが可能である。
【００２０】
ここで、基地局２００は、例えば、携帯電話通信システムにおける基地局である。また、運用管理装置３００は、例えば、ＮＭＳ（Ｎｅｔｗｏｒｋ  Ｍａｎａｇｅｍｅｎｔ  Ｓｙｓｔｅｍ）を実現するサーバ等である。そして、Ｗｉ−Ｆｉコントローラ４００は、例えば、Ｗｉ−Ｆｉアクセスポイント５００−１〜５００−３を制御する制御装置である。Ｗｉ−Ｆｉ端末６００は、例えば、Ｗｉ−Ｆｉ通信機能を有する電子機器である。また、携帯端末７００は、例えば、携帯電話機や、スマートフォン、タブレット端末等の通信端末である。
【００２１】
図１に示すように、基地局２００は、送受信制御部２１０と、アンテナ２２０と、データ制御部２３０と、バックホールインタフェース２４０と、Ｗｉ−Ｆｉ処理部２５０と、状態監視制御部２６０とを含む。
【００２２】
送受信制御部２１０は、アンテナ２２０が携帯端末７００から電磁波を受信した場合に、当該電磁波がアンテナ２２０によって変換された電気信号に、復調処理等を施す。そして、送受信制御部２１０は、電気信号に復調処理等を施して得られるデータである受信データを生成する。そして、送受信制御部２１０は、データ制御部２３０に、当該受信データを入力する。
【００２３】
また、送受信制御部２１０は、データ制御部２３０から後述する通信データが入力された場合に、当該通信データに変調処理を施す。そして、送受信制御部２１０は、アンテナ２２０に、変調処理後の通信データを入力する。すると、アンテナ２２０から当該通信データに基づく電磁波が放射される。
【００２４】
データ制御部２３０は、送受信制御部２１０から入力された受信データにパケット処理を施し、受信パケットを生成する。ここで、パケット処理とは、例えば、データを含むペイロードに所定の情報を含むヘッダを付加し、パケットを生成する処理のことである。したがって、受信パケットとは、例えば、受信データを含むペイロードに、送信先の情報を含むヘッダが付加されたパケットである。データ制御部２３０は、送信先に、受信パケットをバックホールインタフェース２４０を介して送信する。送信された受信パケットは、バックホール８００を介して、送信先に送信される。
【００２５】
また、データ制御部２３０は、バックホールインタフェース２４０を介してバックホール８００側からパケットを受信した場合に、当該パケットのペイロードから通信データを取り出す。そして、データ制御部２３０は、送受信制御部２１０に、取り出した通信データを入力する。
【００２６】
なお、送受信制御部２１０は、データ制御部２３０に入力された通信データをパケット化して変調処理を施し、アンテナ２２０に入力するように構成されていてもよい。そして、基地局２００と携帯端末７００との間の通信は、パケット化されたデータが送受信されることによって行われてもよい。
【００２７】
バックホールインタフェース２４０は、基地局２００とバックホール８００との間の通信におけるインタフェースである。
【００２８】
Ｗｉ−Ｆｉ処理部２５０は、Ｗｉ−Ｆｉアクセスポイント５００−１を介してＷｉ−Ｆｉ端末６００からパケットを受信した場合に、当該パケットに、バックホール８００を介して送信先へ送信するための処理を施す。そして、Ｗｉ−Ｆｉ処理部２５０は、送信先に、当該処理後のパケットをバックホールインタフェース２４０を介して送信する。送信されたパケットは、バックホール８００を介して、送信先に送信される。
【００２９】
また、Ｗｉ−Ｆｉ処理部２５０は、バックホールインタフェース２４０を介してバックホール８００側からパケットを受信した場合に、当該パケットに、Ｗｉ−Ｆｉ端末６００に送信するための処理を施す。そして、Ｗｉ−Ｆｉ処理部２５０は、Ｗｉ−Ｆｉ端末６００に、当該処理後のパケットをＷｉ−Ｆｉアクセスポイント５００−１を介して送信する。
【００３０】
なお、Ｗｉ−Ｆｉ処理部２５０は、Ｗｉ−Ｆｉアクセスポイントの認証処理を行う。具体的には、Ｗｉ−Ｆｉ処理部２５０は、例えば、ＥＡＰ−ＴＬＳ（Ｅｘｔｅｎｓｉｂｌｅ  Ａｕｔｈｅｎｔｉｃａｔｉｏｎ  Ｐｒｏｔｏｃｏｌ  Ｔｒａｎｓｐｏｒｔ  Ｌａｙｅｒ  Ｓｅｃｕｒｉｔｙ）等の方式に従って、Ｗｉ−Ｆｉアクセスポイントの認証処理を行う。Ｗｉ−Ｆｉ処理部２５０は、認証処理が行われていないＷｉ−Ｆｉアクセスポイントによる接続を拒否する。そのような構成により、認証処理が行われていないＷｉ−Ｆｉアクセスポイントによる基地局２００との情報の送受信を防ぐ。よって、基地局２００への不正アクセスを防ぐことができる。なお、本実施形態において、Ｗｉ−Ｆｉアクセスポイント５００−１〜５００−３のうちＷｉ−Ｆｉアクセスポイント５００−１が、Ｗｉ−Ｆｉ処理部２５０によって認証処理が行われ、基地局２００と情報を送受信する。
【００３１】
状態監視制御部２６０は、送受信制御部２１０、データ制御部２３０、バックホールインタフェース２４０、およびＷｉ−Ｆｉ処理部２５０を監視する。そして、状態監視制御部２６０は、送受信制御部２１０、データ制御部２３０、バックホールインタフェース２４０、およびＷｉ−Ｆｉ処理部２５０のうち少なくとも１つが異常状態であることを検知した場合に、運用管理装置３００に、異常状態であることを示す情報を含む異常通知情報を送信する。ここで、異常状態とは、例えば、不具合が生じた構成要素がある状態をいう。不具合が生じたとは、例えば、構成要素が、所定の性能を発揮できていない状態になったことや、所定の動作状態を逸脱した状態になったこと等をいう。所定の動作状態を逸脱した状態とは、例えば、いずれかの構成要素の負荷が過重になっている状態や、いずれかの構成要素が所定の温度以上の温度になっている状態、いずれかの構成要素が異音を発している状態、いずれかの構成要素が所定以上の大きさで振動している状態等をいう。
【００３２】
状態監視制御部２６０は、運用管理装置３００から異常状態と検知した原因の特定指示を含む診断指示情報を受信した場合に、例えば、自己診断プログラムに従った自己診断処理を実行する。自己診断処理では、例えば、異常状態と検知した原因を特定する。そして、状態監視制御部２６０は、運用管理装置３００に、アラーム（Ａｌａｒｍ）やステータス（Ｓｔａｔｕｓ）等の診断結果を示す情報を含む診断結果情報を送信する。ここで、診断結果情報には、例えば、いずれの構成要素の負荷が過重になっている状態であることや、いずれの構成要素が所定の温度以上の温度になっている状態であること、いずれの構成要素が異音を発している状態であること、いずれの構成要素が所定以上の大きさで振動している状態であること等を示す情報等が含まれる。
【００３３】
状態監視制御部２６０は、運用管理装置３００から異常状態への対応方法を示す情報を含む対応方法情報を受信した場合に、対応方法情報に基づく処理を行う。状態監視制御部２６０は、例えば、対応方法情報に基づき送受信制御部２１０を再起動させる。
【００３４】
なお、送受信制御部２１０と、データ制御部２３０と、Ｗｉ−Ｆｉ処理部２５０と、状態監視制御部２６０とは、例えば、プログラム制御に従って処理を実行するＣＰＵ（Ｃｅｎｔｒａｌ  Ｐｒｏｃｅｓｓｉｎｇ  Ｕｎｉｔ）や単数または複数の回路によって実現される。
【００３５】
図１に示すように、運用管理装置３００は、検知部３１０と、制御部３２０と、通信部３３０とを含む。
【００３６】
検知部３１０は、主回線に通信障害が生じたことを検知する。具体的には、検知部３１０は、例えば、主回線の通信状態を監視し、主回線の監視結果を示す監視結果情報を制御部３２０に入力する。
【００３７】
制御部３２０は、基地局２００の各構成要素を制御する。具体的には、制御部３２０は、例えば、通信部３３０が基地局２００から異常通知情報を受信した場合に、検知部３１０から入力された監視結果情報の内容を確認する。制御部３２０は、監視結果情報が主回線の通信障害を示していた場合に、通信部３３０に、診断指示情報を基地局２００へ副回線を介して送信させる。
【００３８】
制御部３２０は、通信部３３０が基地局２００から診断結果情報を受信した場合に、当該診断結果情報に基づき異常状態への対応方法を選択する。例えば、送受信制御部２１０の負荷が過重であることを示す情報が診断結果情報に含まれていた場合に、制御部３２０は、送受信制御部２１０を再起動させることを対応方法として選択する。そして、制御部３２０は、通信部３３０に、当該対応方法を示す情報を含む対応方法情報を基地局２００へ送信させる。
【００３９】
なお、本実施形態において、基地局２００および運用管理装置３００は、主回線における通信障害が解消するまでの間、通常運用時に主回線を介して行っていた互いの間の情報の送受信を副回線を介して行うことができる。また、例えば、副回線におけるＷｉ−Ｆｉアクセスポイント５００−１〜５００−３は、主回線に通信障害が生じていない場合に、Ｗｉ−Ｆｉ端末６００を、バックホール８００を介して情報を送受信可能にすることができる。
【００４０】
Ｗｉ−Ｆｉコントローラ４００は、運用管理装置３００とバックホール８００との間で送受信される情報を中継する。そして、Ｗｉ−Ｆｉコントローラ４００は、副回線を介した基地局２００とバックホール８００との間の経路を制御する。具体的には、、Ｗｉ−Ｆｉコントローラ４００は、例えば、ＳＰＦ（Ｓｈｏｒｔｅｓｔ  Ｐａｔｈ  Ｆｉｒｓｔ）アルゴリズム等に基づいて、基地局２００および運用管理装置３００から送信された各種情報を経由させるＷｉ−Ｆｉアクセスポイントを選択する。本実施形態において、Ｗｉ−Ｆｉアクセスポイント５００−１〜５００−３が、基地局２００および運用管理装置３００から送信された各種情報を経由させるＷｉ−Ｆｉアクセスポイントに選択されている。
【００４１】
なお、各種情報は、各種情報に応じたデータがパケット化されたパケットによって、基地局２００と運用管理装置３００との間で送受信される。
【００４２】
次に、基地局２００および運用管理装置３００の動作について、図面を参照して説明する。図２は、基地局２００が異常状態になった場合に、主回線に通信障害が生じたときに、基地局２００と運用管理装置３００とが行う動作の例を示すシーケンス図である。すなわち、図２には、基地局２００が異常状態になった場合に、バックホール８００における基地局２００と運用管理装置３００との間で通信障害が生じたときに、基地局２００と運用管理装置３００とが行う動作の例を示すシーケンス図が示されている。
【００４３】
状態監視制御部２６０は、送受信制御部２１０、データ制御部２３０、バックホールインタフェース２４０、およびＷｉ−Ｆｉ処理部２５０を監視する。そして、状態監視制御部２６０は、送受信制御部２１０、データ制御部２３０、バックホールインタフェース２４０、およびＷｉ−Ｆｉ処理部２５０のうち少なくとも１つが異常状態になったことを検知した場合に、運用管理装置３００に、異常通知情報を副回線を介して送信する（ステップＳ１０１）。なお、状態監視制御部２６０は、例えば、バックホールインタフェース２４０による主回線を介した異常通知情報の送信ができなかった場合に、主回線に通信障害が生じていると判断する。そして、状態監視制御部２６０は、Ｗｉ−Ｆｉ処理部２５０に、異常通知情報を送信させる。具体的には、状態監視制御部２６０は、まず、主回線を介した異常通知情報の送信処理を行う。そして、状態監視制御部２６０は、当該送信処理を行って所定の時間を経過しても運用管理装置３００からの応答を受信しなかった場合に、主回線に通信障害が生じていると判断する。そして、状態監視制御部２６０は、Ｗｉ−Ｆｉ処理部２５０に、運用管理装置３００宛ての異常通知情報をＷｉ−Ｆｉアクセスポイント５００−１へ送信させる。すると、当該異常通知情報は、副回線を介して運用管理装置３００へ送信される。
【００４４】
制御部３２０は、例えば、通信部３３０が基地局２００から副回線を介して異常通知情報を受信した場合に、検知部３１０から入力された監視結果情報の内容を確認する。制御部３２０は、監視結果情報が主回線の通信障害を示していた場合に、通信部３３０に、診断指示情報を基地局２００へ副回線を介して送信させる（ステップＳ１０２）。具体的には、制御部３２０は、通信部３３０に、基地局２００宛ての診断指示情報をＷｉ−Ｆｉコントローラ４００へ送信させる。すると、当該診断指示情報は、副回線を介して基地局２００へ送信される。
【００４５】
状態監視制御部２６０は、副回線を介して運用管理装置３００から診断指示情報を受信した場合に、例えば、自己診断プログラムに従った自己診断処理を実行する（ステップＳ１０３）。自己診断処理では、例えば、異常状態と検知した原因を特定する。
【００４６】
状態監視制御部２６０は、運用管理装置３００に、自己診断処理の結果に基づく診断結果情報を副回線を介して送信する（ステップＳ１０４）。具体的には、状態監視制御部２６０は、Ｗｉ−Ｆｉ処理部２５０に、運用管理装置３００宛ての診断結果情報をＷｉ−Ｆｉアクセスポイント５００−１へ送信させる。すると、当該診断結果情報は、副回線を介して運用管理装置３００へ送信される。
【００４７】
制御部３２０は、通信部３３０が基地局２００から副回線を介して診断結果情報を受信した場合に、当該診断結果情報に基づき異常状態への対応方法を選択する。そして、制御部３２０は、通信部３３０に、当該対応方法を示す情報を含む対応方法情報を基地局２００へ副回線を介して送信させる（ステップＳ１０５）。具体的には、制御部３２０は、通信部３３０に、基地局２００宛ての対応方法情報をＷｉ−Ｆｉコントローラ４００へ送信させる。すると、当該対応方法情報は、副回線を介して基地局２００へ送信される。
【００４８】
状態監視制御部２６０は、副回線を介して運用管理装置３００から対応方法情報を受信した場合に、対応方法情報に基づく処理を行う（ステップＳ１０６）。具体的には、状態監視制御部２６０は、例えば、対応方法情報に基づき送受信制御部２１０を再起動させる。
【００４９】
以上に述べたように、主回線に通信障害が生じた場合に、基地局２００と運用管理装置３００とは、各種情報を副回線を介して送受信する。そして、基地局２００は、自局で生じた問題を解決するために、運用管理装置３００から受信した情報に基づく処理を行う。
【００５０】
よって、本実施形態によれば、バックホールにおける運用管理装置と基地局との間で通信障害が生じた場合でも、基地局で生じた問題に容易に対応することができる。
【００５１】
なお、図１に示す例では、副回線にＷｉ−Ｆｉ通信が用いられる場合を例に説明したが、Ｗｉ−Ｆｉ通信に限られず、他の無線ＬＡＮ通信等の無線通信が用いられてもよい。
【００５２】
また、通信システムの構成は、図１に示す例に限られない。図３は、他の例の通信システム１０１の構成を示すブロック図である。図３に示す例では、Ｗｉ−Ｆｉアクセスポイント５０１−１は、バックホール８００に接続されている。このような構成により、例えば、Ｗｉ−Ｆｉアクセスポイント５００−２やＷｉ−Ｆｉアクセスポイント５００−３が故障した場合に、基地局２００と運用管理装置３００とは、Ｗｉ−Ｆｉコントローラ４００と、バックホール８００と、Ｗｉ−Ｆｉアクセスポイント５００−１とを介して互いに情報を送受信することができる。
【００５３】
本実施形態において、Ｗｉ−Ｆｉアクセスポイント５００−１は、自身と通信可能な装置の情報を記憶部（図示せず）に記憶させておいてもよい。そして、Ｗｉ−Ｆｉアクセスポイント５００−１は、当該情報に対応した装置とのみ情報を送受信してもよい。そのような構成により、Ｗｉ−Ｆｉアクセスポイント５００−１への不正アクセスを防ぐことができる。さらに、Ｗｉ−Ｆｉアクセスポイント５００−１は基地局２００に接続されているので、基地局２００への不正アクセスも防ぐことができる。
【００５４】
（第２の実施形態）
第２の実施形態について図面を参照して説明する。
【００５５】
図４は、第２の実施形態における基地局９００の構成例を示すブロック図である。図４に示す例では、基地局９００は、検知部９１０と、通信部９２０と、制御部９３０とを含む。なお、基地局９００は、管理装置（図示せず）との間が主回線と副回線とのそれぞれによって互いに接続されている。
【００５６】
ここで、検知部９１０は、図１に示す第１の実施形態における基地局２００の状態監視制御部２６０に相当する。また、通信部９２０は、図１に示す第１の実施形態における基地局２００のバックホールインタフェース２４０や、Ｗｉ−Ｆｉ処理部２５０、状態監視制御部２６０に相当する。そして、制御部９３０は、図１に示す第１の実施形態における基地局２００の状態監視制御部２６０に相当する。
【００５７】
検知部９１０は、基地局９００の異常を検知する。
【００５８】
通信部９２０は、主回線に通信障害が生じた場合に、異常の内容を示す検知結果を含む通知情報を副回線を介して管理装置に送信する。また、通信部９２０は、通知情報に応じた処理を指示する情報を含む対応情報を副回線を介して管理装置から受信する。
【００５９】
制御部９３０は、対応情報に基づく対応の処理を行う。
【００６０】
ここで、通知情報は、第１の実施形態における異常通知情報および診断結果情報に相当する。また、対応情報は、第１の実施形態における診断指示情報および対応方法情報に相当する。
【００６１】
以上に述べたように、通信部９２０は、主回線に通信障害が生じた場合に、管理装置から対応情報を副回線を介して受信する。そして、制御部９３０は、対応情報に基づく対応の処理を行う。
【００６２】
よって、本実施形態によれば、バックホールにおける運用管理装置と基地局との間で通信障害が生じた場合でも、基地局で生じた問題に容易に対応することができる。
【００６３】
以上、本発明の各実施形態を説明したが、本発明は、上記した各実施形態に限定されるものではなく、本発明の基本的技術的思想を逸脱しない範囲で、更なる変形や、置換、調整を加えることができる。また、各実施形態を適宜組み合わせて実施してもよい。
【００６４】
なお、上記の特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせ、ないし選択が可能である。すなわち、本発明は、請求の範囲を含む全開示、技術的思想にしたがって当業者であればなし得る各種変形、修正を含むことは勿論である。
【００６５】
また、上記の実施形態の一部又は全部は、以下の付記のようにも記載されうるが、以下には限られない。
［付記１］
管理装置との間が主回線と副回線とのそれぞれによって互いに接続され、
自局の異常を検知する検知手段と、
前記主回線に通信障害が生じた場合に、前記異常の内容を示す検知結果を含む通知情報を前記副回線を介して前記管理装置に送信し、前記通知情報に応じた処理を指示する情報を含む対応情報を前記副回線を介して前記管理装置から受信する通信手段と、
前記対応情報に基づく対応の処理を行う制御手段と
を備える基地局。
［付記２］
前記対応の処理は、前記異常が検知された原因を診断する処理を含む付記１に記載の基地局。
［付記３］
前記対応の処理は、前記異常が検知された構成要素を再起動させる処理を含む付記１または付記２に記載の基地局。
［付記４］
前記主回線は、通常運用時の伝送路である付記１から付記３のうちいずれか１項に記載の基地局。
［付記５］
前記副回線は、通常運用時の伝送路とは異なる伝送路である付記１から付記４のうちいずれか１項に記載の基地局。
［付記６］
前記副回線は、バックホールとＷｉ−Ｆｉ（Ｗｉｒｅｌｅｓｓ  Ｆｉｄｅｌｉｔｙ）通信による伝送路とを含む付記１から付記５のうちいずれか１項に記載の基地局。
［付記７］
基地局との間が主回線と副回線とのそれぞれによって互いに接続され、
前記基地局で生じた異常の内容を示す検知結果を含む通知情報を前記基地局から受信する通信手段と、
前記主回線に通信障害が生じた場合に、前記通信手段に、前記通知情報に応じた処理を指示する情報を含む対応情報を副回線を介して前記基地局へ送信させる制御手段と
を備える管理装置。
［付記８］
前記対応情報は、前記異常が検知された原因を診断させる指示を示す情報を含む付記７に記載の管理装置。
［付記９］
前記対応情報は、前記異常が検知された構成要素を再起動させる指示を示す情報を含む付記７または付記８に記載の基地局。
［付記１０］
付記１から付記６のいずれか１項に記載の基地局と、
付記７から付記９のいずれか１項に管理装置と
を含む通信システム。
［付記１１］
管理装置との間が主回線と副回線とのそれぞれによって互いに接続された自局の異常を検知し、
前記主回線に通信障害が生じた場合に、前記異常の内容を示す検知結果を含む通知情報を前記副回線を介して前記管理装置に送信し、前記通知情報に応じた処理を指示する情報を含む対応情報を前記副回線を介して前記管理装置から受信し、
前記対応情報に基づく対応の処理を行う
基地局制御方法。
［付記１２］
コンピュータに、
管理装置との間が主回線と副回線とのそれぞれによって互いに接続された自局の異常を検知する処理と、
前記主回線に通信障害が生じた場合に、前記異常の内容を示す検知結果を含む通知情報を前記副回線を介して前記管理装置に送信し、前記通知情報に応じた処理を指示する情報を含む対応情報を前記副回線を介して前記管理装置から受信する処理と、
前記対応情報に基づく対応の処理と
を実行させるための基地局制御用プログラム。
【符号の説明】
【００６６】
１００，１０１  通信システム
２００  基地局
２１０  送受信制御部
２２０  アンテナ
２３０  データ制御部
２４０  バックホールインタフェース
２５０  Ｗｉ−Ｆｉ処理部
２６０  状態監視制御部
３００  運用管理装置
３１０  検知部
３２０  制御部
３３０  通信部
４００  Ｗｉ−Ｆｉコントローラ
５００−１，５００−２，５００−３，５０１−１  Ｗｉ−Ｆｉアクセスポイント
６００  Ｗｉ−Ｆｉ端末
７００  携帯端末
８００  バックホール
９００  基地局
９１０  検知部
９２０  通信部
９３０  制御部
【図１】
2018056922.tif 000003
【図２】
2018056922.tif 000004
【図３】
2018056922.tif 000005
【図４】
2018056922.tif 000006